(57)【要約】【課題】  極めて簡便な構成でありながら、スペックルノイズを確実に低減する。【解決手段】  プロジェクター装置は、可干渉性のレーザ光を出射するレーザ光源１１と、このレーザ光源１１から出射されたレーザ光をシート状のレーザ光に変換する照明レンズ１２と、この照明レンズ１２によって変換されたシート状のレーザ光が照射されることによって画素毎に光学的な特性を変化させるＧＬＶ１３と、このＧＬＶ１３によって回折されたレーザ光を通過させる光学フィルタを内蔵した投射レンズ１４と、この投射レンズ１４を通過したレーザ光を走査してスクリーン２０に投射する走査ミラー１５とを備える。また、プロジェクター装置は、レーザ光源１１から出射されたレーザ光が通過する光路上に、当該レーザ光源１１から出射されたレーザ光の波長に対応する１／２波長位相差板１６と、この１／２波長位相差板１６を駆動させるモータ１７及び駆動部１８とを備える。【選択図】  図１
2006091471.tif 000002
【特許請求の範囲】
【請求項１】
可干渉光を出射する光源と、
前記光源から出射された光が通過する光路上に設けられ、前記光源から出射された光の波長に対応する波長板と、
前記光源から出射された光の偏光を変化させるように前記波長板を駆動させる駆動手段とを備えること
を特徴とする光出射装置。
【請求項２】
前記波長板は、前記光源から出射された光の偏光方向を変化させる１／２波長位相差板であることを特徴とする請求項１記載の光出射装置。
【請求項３】
前記駆動手段は、前記１／２波長位相差板における前記光源から出射された光の光軸に垂直な面内で、当該１／２波長位相差板を回転させることを特徴とする請求項２記載の光出射装置。
【請求項４】
前記駆動手段は、所定速度で回転駆動するロータを中空としたモータを有し、
前記１／２波長位相差板は、前記モータの中空部分に取り付けられていることを特徴とする請求項３記載の光出射装置。
【請求項５】
前記１／２波長位相差板に入射される光の光軸中心は、前記１／２波長位相差板の回転中心からずれていることを特徴とする請求項３記載の光出射装置。
【請求項６】
前記波長板は、直線偏光と楕円偏光又は円偏光とを切り替える１／４波長位相差板であることを特徴とする請求項１記載の光出射装置。
【請求項７】
所定のスクリーンに映像を投射して各種映像を表示する表示装置であって、
可干渉光を出射する光源と、
画素毎に光学的な特性を変化させる光学素子と、
前記光源から出射された光が通過する光路上に設けられ、前記光源から出射された光の波長に対応する波長板と、
前記波長板を駆動させる駆動手段とを備えること
を特徴とする表示装置。
【請求項８】
前記波長板は、前記光源から出射された光の偏光方向を変化させる１／２波長位相差板であることを特徴とする請求項７記載の表示装置。
【請求項９】
前記駆動手段は、前記１／２波長位相差板における前記光源から出射された光の光軸に垂直な面内で、当該１／２波長位相差板を回転させることを特徴とする請求項８記載の表示装置。
【請求項１０】
前記駆動手段は、所定速度で回転駆動するロータを中空としたモータを有し、
前記１／２波長位相差板は、前記モータの中空部分に取り付けられていることを特徴とする請求項９記載の表示装置。
【請求項１１】
前記１／２波長位相差板に入射される光の光軸中心は、前記１／２波長位相差板の回転中心からずれていることを特徴とする請求項９記載の表示装置。
【請求項１２】
前記駆動手段は、前記波長板をフレームレートよりも速い速度で駆動させることを特徴とする請求項７記載の表示装置。
【請求項１３】
前記光源は、互いに異なる色光をそれぞれ出射する複数の光源であり、
前記波長板は、前記複数の光源のそれぞれから出射された光の波長に対応して複数設けられていることを特徴とする請求項７記載の表示装置。
【請求項１４】
前記波長板は、直線偏光と楕円偏光又は円偏光とを切り替える１／４波長位相差板であることを特徴とする請求項７記載の表示装置。
【請求項１５】
前記光学素子は、複数のリボン状の回折格子からなるグレーティング・ライト・バルブであり、
当該表示装置は、
前記光源から出射された光を平板状の光に変換して前記グレーティング・ライト・バルブに照射する光学部材と、
前記グレーティング・ライト・バルブによって回折された光を通過させる光学フィルタと、
前記光学フィルタを通過した光を走査して前記スクリーンに投射する走査ミラーとを備えることを特徴とする請求項７記載の表示装置。
【請求項１６】
前記波長板は、前記光源から出射された光が通過する光路上における前記走査ミラーの前段に設けられていることを特徴とする請求項１５記載の表示装置。
【発明の詳細な説明】
【技術分野】
【０００１】
本発明は、可干渉光を出射する光出射装置、及びこの光出射装置を用いて構成され、各種映像を表示画面に表示する表示装置に関する。
【背景技術】
【０００２】
近年、会議等において聴衆に資料を提示する表示装置として、いわゆるオーバーヘッドプロジェクターやスライドプロジェクターが広く用いられている。また、一般家庭においても、液晶を用いたビデオプロジェクターや動画フィルムプロジェクター等が普及しつつある。このような各種プロジェクター装置は、一般に、所定の光源と、画素毎に光学的な特性を変化させることができる素子とを組み合わせて構成される。
【０００３】
さらに、近年では、光源として狭帯域三原色光源を用いるとともに、微細な複数のリボン状の回折格子からなるいわゆるグレーティング・ライト・バルブ（Grating Light Valve；ＧＬＶ）を素子として用い、赤色、緑色及び青色の各光束を空間変調するタイプのプロジェクター装置も開発されている。かかるＧＬＶを用いたプロジェクター装置は、高い解像度と広い色再現領域とを実現することができるものとして着目されている。
【０００４】
ところで、かかるＧＬＶを用いたプロジェクター装置をはじめとするプロジェクター装置においては、可干渉光を出射するレーザ等を光源として用いることが多く、これに起因して、映像を投射するスクリーン上にスペックルパターンが現れることが問題となっている。スペックルパターンとは、可干渉光をスクリーン等に照射した際に、当該スクリーン上に生じるコントラストが高い斑点状の模様である。かかるスペックルパターンは、スクリーン上の各点で散乱された光が互いに不規則な位相関係で干渉することによって生じる複雑な干渉パターンであり、人間の眼にはノイズ（スペックルノイズ）として認識されることになる。したがって、プロジェクター装置のようにスクリーン上に映像を投射する装置においては、スペックルノイズが生じることによって画質の劣化を招来することから、それを低減することが要求されている。
【０００５】
このようなスペックルノイズの低減を試みた技術としては、例えば特許文献１乃至特許文献３等に記載された技術が提案されている。
【０００６】
【特許文献１】特開２００２−９０８８１号公報
【特許文献２】特開２００３−９８４７６号公報
【特許文献３】特開２００２−６２５８２号公報
【０００７】
具体的には、特許文献１には、光源と、この光源からの光を変調可能な画像表示デバイスと、この画像表示デバイスからの光をスクリーン上に投影するレンズシステムと、画像表示デバイスからスクリーンに至る光路上に配置され、スクリーンに表示される映像に影響を与えない程度の光路差分布を発生する光学部品と、光路差分布が時間的に変動するように光学部品を動かす駆動手段とを備えるプロジェクター装置が開示されている。より具体的には、このプロジェクター装置においては、光学部品として、光路を横断する光学面を出射光が透過する際に、λ／２程度の光路差分布が発生するように特殊な加工が施されたものを用いている。
【０００８】
また、特許文献２には、光ビームを放射するためのレーザ光源と、光ビームを拡大するためのビーム拡大器と、空間光変調器と、この空間光変調器を均一に照らすために拡大したレーザビームを成形するためのビーム成形オプティクスであって小型レンズのアレイを有するフライアイインテグレータを含むビーム成形オプティクスと、レーザ光源と空間光変調器との間のレーザビーム内に位置する移動拡散器とを含む表示装置が開示されている。より具体的には、この表示装置においては、移動拡散器として、ホログラフィ拡散器やランダム化したマイクロレンズアレイ等を用いている。
【０００９】
さらに、特許文献３には、光源から出射され、空間変調器にて変調された光によって画像を表示する画像表示装置が開示されている。特に、この画像表示装置は、空間変調器の隣接する画素に入射される光の偏光方向が互いに直交するように、光源から出射された光の空間的な偏光分布を変換する偏光分布変換手段を備えたものである。より具体的には、この画像表示装置においては、偏光分布変換手段として、マイクロレンズアレイと複屈折性光学結晶とを用いている。
【発明の開示】
【発明が解決しようとする課題】
【００１０】
ところで、上述した特許文献１乃至特許文献３をはじめとする従来の技術においては、スペックルノイズを低減するために光学系に設ける光学部品として、特殊なものを用いる必要があり、汎用性に乏しく、製造も困難であることから、コストの高騰を招来するという問題があった。また、上述した特許文献１に記載された技術においては、λ／２程度の光路差分布が発生するように凹凸状に加工された光学部品を用いていることから、当該凹凸の境界で不要な反射が生じるおそれが否めず、画質の劣化を回避することは困難である。
【００１１】
本発明は、このような実情に鑑みてなされたものであり、極めて簡便な構成でありながら、スペックルノイズを確実に低減することができる光出射装置、及びこの光出射装置を用いて構成され、低コストのもとにスペックルノイズによる画質の劣化を回避することができる表示装置を提供することを目的とする。
【課題を解決するための手段】
【００１２】
上述した目的を達成する本発明にかかる光出射装置は、可干渉光を出射する光源と、前記光源から出射された光が通過する光路上に設けられ、前記光源から出射された光の波長に対応する波長板と、前記光源から出射された光の偏光を変化させるように前記波長板を駆動させる駆動手段とを備えることを特徴としている。
【００１３】
このような本発明にかかる光出射装置は、光源から出射された光の偏光を変化させるように波長板を駆動させることにより、当該波長板を透過する光の偏光を経時的に変化させることができる。したがって、本発明にかかる光出射装置は、出射された光が散乱して干渉することによって生じるノイズピークを時間的にずらし、平滑化することができることから、人間の眼にはスペックルノイズが視認されにくくなる。
【００１４】
ここで、前記波長板としては、前記光源から出射された光の偏光方向を変化させる１／２波長位相差板を用いることができる。この場合、前記駆動手段は、前記１／２波長位相差板における前記光源から出射された光の光軸に垂直な面内で、当該１／２波長位相差板を回転させるのが望ましい。このように、本発明にかかる光出射装置においては、１／２波長位相差板を回転させることにより、当該１／２波長位相差板の駆動が制御しやすくなり、当該１／２波長位相差板を透過する光の偏光の経時的変化を速くすることができる。
【００１５】
また、本発明にかかる光出射装置においては、前記駆動手段として、所定速度で回転駆動するロータを中空としたモータを有するものとし、前記１／２波長位相差板を前記モータの中空部分に取り付けることにより、極めて簡便な構成のもとに、当該１／２波長位相差板の駆動を行うことができる。
【００１６】
なお、前記１／２波長位相差板に入射される光の光軸中心は、偏光方向の経時的変化を大きくするために、前記１／２波長位相差板の回転中心からずれているのが望ましい。
【００１７】
さらに、前記波長板としては、１／２波長位相差板以外にも、直線偏光と楕円偏光又は円偏光とを切り替える１／４波長位相差板を用いてもよく、１／２波長位相差板を用いた場合と同様の効果を得ることができる。
【００１８】
また、上述した目的を達成する本発明にかかる表示装置は、所定のスクリーンに映像を投射して各種映像を表示する表示装置であって、可干渉光を出射する光源と、画素毎に光学的な特性を変化させる光学素子と、前記光源から出射された光が通過する光路上に設けられ、前記光源から出射された光の波長に対応する波長板と、前記波長板を駆動させる駆動手段とを備えることを特徴としている。
【００１９】
このような本発明にかかる表示装置は、光源から出射された光の偏光を変化させるように波長板を駆動させることにより、当該波長板を透過する光の偏光を経時的に変化させることができる。したがって、本発明にかかる表示装置は、出射された光がスクリーン上の各点で散乱して干渉することによって生じるノイズピークを時間的にずらし、平滑化することができることから、スクリーンに投射された映像の鑑賞者が眼の積分効果によってスペックルノイズを視認しにくくなり、品位の高い映像を表示することができる。
【００２０】
ここで、前記駆動手段は、スクリーンに表示される映像に対応する光の干渉を抑制するために、前記波長板をフレームレートよりも速い速度で駆動させるのが望ましい。
【００２１】
また、前記光源は、互いに異なる色光をそれぞれ出射する複数の光源を用いることができる。この場合、前記波長板は、前記複数の光源のそれぞれから出射された光の波長に対応して複数設けられる。
【００２２】
なお、前記光学素子としては、複数のリボン状の回折格子からなるグレーティング・ライト・バルブを用いるのが好適である。この場合、本発明にかかる表示装置は、前記光源から出射された光を平板状の光に変換して前記グレーティング・ライト・バルブに照射する光学部材と、前記グレーティング・ライト・バルブによって回折された光を通過させる光学フィルタと、前記光学フィルタを通過した光を走査して前記スクリーンに投射する走査ミラーとを備える。
【００２３】
このようなグレーティング・ライト・バルブを用いた本発明にかかる表示装置においては、前記走査ミラーの後段では光束が大きくなることから、前記波長板を、前記光源から出射された光が通過する光路上における前記走査ミラーの前段に設けるのが効率がよい。
【発明の効果】
【００２４】
本発明においては、波長板を駆動させ、レーザ光の偏光方向を経時的に変化させるという極めて簡便な構成でありながら、スペックルノイズを確実に低減することができ、低コストのもとに品位の高い映像を表示することができる。
【発明を実施するための最良の形態】
【００２５】
以下、本発明を適用した具体的な実施の形態について図面を参照しながら詳細に説明する。
【００２６】
この実施の形態は、所定のスクリーンに映像を投射して各種映像を表示する表示装置としてのプロジェクター装置である。特に、このプロジェクター装置は、可干渉光を出射する光源を備えるものであり、光路上に波長板を設けることにより、いわゆるスペックルノイズを低減することができるものである。
【００２７】
なお、以下では、光源として、赤色光、緑色光及び青色光の狭帯域三原色光を出射するレーザ光源を用い、これらレーザ光源から出射された各色の光束を空間変調する素子として、微細な複数のリボン状の回折格子からなるいわゆるグレーティング・ライト・バルブ（Grating Light Valve；以下、ＧＬＶという。）を用いたプロジェクター装置について説明するものとする。
【００２８】
プロジェクター装置は、図１に示すように、可干渉性である単波長のレーザ光を出射するレーザ光源１１と、このレーザ光源１１から出射されたレーザ光をシート状のレーザ光に変換する光学部材としての照明レンズ１２と、この照明レンズ１２によって変換されたシート状のレーザ光が照射されることによって画素毎に光学的な特性を変化させる光学素子としてのＧＬＶ１３と、このＧＬＶ１３によって回折されたレーザ光を通過させる光学フィルタを内蔵した投射レンズ１４と、この投射レンズ１４を通過したレーザ光を走査してスクリーン２０に投射する走査ミラー１５とを備える。また、プロジェクター装置は、レーザ光源１１から出射されたレーザ光が通過する光路上に、当該レーザ光源１１から出射されたレーザ光の波長に対応する１／２波長位相差板１６と、この１／２波長位相差板１６を駆動させる駆動手段としてのモータ１７及びこのモータ１７の駆動電力を供給する駆動部１８とを備える。なお、同図には、赤色光、緑色光及び青色光のうち、任意の単色光についての光学系を示しており、プロジェクター装置は、かかる光学系を各色分備えることになる。
【００２９】
レーザ光源１１は、赤色光、緑色光及び青色光のうち、いずれかの色のレーザ光Ｌ１を出射する。例えば、レーザ光源１１は、赤色光のレーザ光Ｌ１を出射するものとして、半導体レーザを用いることができ、緑色光又は青色光のレーザ光Ｌ１を出射するものとして、半導体励起の固体レーザを用いることができる。このレーザ光源１１から出射されたレーザ光Ｌ１は、１／２波長位相差板１６に入射される。
【００３０】
１／２波長位相差板１６は、レーザ光源Ｌ１から出射されたレーザ光が通過する光路上のうち、走査ミラー１５の前段であれば任意の場所に設けることができる。具体的には、１／２波長位相差板１６は、レーザ光源１１と照明レンズ１２との間、照明レンズ１２とＧＬＶ１３との間、ＧＬＶ１３と投射レンズ１４との間、又は投射レンズ１４と走査ミラー１５との間に設けることができる。なお、ここでは、レーザ光源１１と照明レンズ１２との間に設けるものとして説明する。この１／２波長位相差板１６は、広く市販されている汎用品を用いることができ、図２に示すように、例えば円状等の任意形状に形成された上で、ロータを中空としたモータ１７の中空部分に取り付けられることにより、レーザ光源１１から出射されたレーザ光が通過する光路上に挿入される。そして、１／２波長位相差板１６は、駆動部１８からの電力に基づいて所定速度で回転駆動するモータ１７により、図１中矢印ａに示すように、レーザ光源１１から出射されたレーザ光の光軸に垂直な面内で回転される。これにより、この１／２波長位相差板１６を透過するレーザ光Ｌ３の偏光方向は、回転に応じて経時的に変化するものとなる。このとき、１／２波長位相差板１６の回転速度としては、スクリーン２０に表示される映像に対応するレーザ光の干渉を抑制するために、フレームレートよりも速くするのが望ましい。なお、この１／２波長位相差板１６に入射されるレーザ光Ｌ１の光軸中心は、偏光方向の経時的変化を大きくするために、当該１／２波長位相差板１６の回転中心からずれているのが望ましい。このような１／２波長位相差板１６を透過したレーザ光Ｌ３は、照明レンズ１２に入射される。
【００３１】
照明レンズ１２は、レーザ光源１１から出射されて１／２波長位相差板１６を透過したレーザ光Ｌ３をシート状のレーザ光Ｌ２に変換する。この照明レンズ１２によって変換されたシート状のレーザ光Ｌ２は、ＧＬＶ１３に照射される。
【００３２】
ＧＬＶ１３は、照明レンズ１２によって変換されたシート状のレーザ光Ｌ２が照射され、このレーザ光Ｌ２を回折する回折格子として機能する光学素子である。具体的には、ＧＬＶ１３は、図３(ａ)に示すように、微細な鏡面状の電極からなるリボン３１を下部電極３２に沿って複数列並べたものである。ここで、ＧＬＶ１３においては、リボン３１として、固定リボンと、電圧を印加することによって下部電極３２に引き寄せられる可動リボンとを交互に並べて構成される。このようなＧＬＶ１３においては、図３(ｂ)に示すように、リボン３１に電圧を印加し、入射されたレーザ光Ｌ２の波長の１／４長だけ可動リボンを凹ませ、平坦な鏡面から凹凸を呈する鏡面へと変化させる。これにより、ＧＬＶ１３に照射されたレーザ光Ｌ２は、リボン３１に電圧が印加されていない場合には、平坦な鏡面によって単に反射される一方で、リボン３１に電圧が印加された場合には、凹凸を呈する鏡面によって回折される。このようなＧＬＶ１３は、例えば６個のリボンを１画素分の回折素子として用い、少なくともスクリーン２０に投射する映像の垂直方向の画素分だけリボンが並べられて構成され、画素毎に回折格子として機能させるか否かを制御することが可能に構成される。このＧＬＶ１３によって反射又は回折されたレーザ光Ｌ４は、投射レンズ１４に入射される。
【００３３】
投射レンズ１４は、例えば図４に示すように、ＧＬＶ１３によって反射又は回折されたレーザ光Ｌ４のうち、±１次回折光のみを通過させるように孔が穿設された光学フィルタ１４ａと、この光学フィルタ１４ａを通過した±１次回折光としてのレーザ光Ｌ５を集光する集光レンズ１４ｂとからなる。なお、同図は、１画素分の光学系を示している。すなわち、投射レンズ１４は、ＧＬＶ１３において回折格子への切り替えを行った画素の光のみを通過するように構成される。このような投射レンズ１４によって集光されたレーザ光Ｌ５は、走査ミラー１５に照射される。
【００３４】
走査ミラー１５は、例えばガルバノミラーから構成され、図示しない駆動機構によってフレームレートに応じた回動速度で図１中矢印ｂに示す方向へと回動することにより、水平方向に走査可能に構成される。このような走査ミラー１５は、投射レンズ１４を通過した±１次回折光としてのレーザ光Ｌ５を水平方向に走査する。すなわち、投射レンズ１４を通過した±１次回折光としてのレーザ光Ｌ５は、スクリーン２０に投射する映像の垂直方向の画素からなる１次元像に対応するものであることから、走査ミラー１５は、レーザ光Ｌ５を水平方向に走査することにより、２次元像をスクリーン２０に投射する。例えば、走査ミラー１５は、１９２０画素（水平）×１０８０画素（垂直）のフルＨＤ（High Definition）・プログレッシブ映像をスクリーン２０に投射する場合には、１０８０画素分の１次元像に対応するレーザ光Ｌ５について、毎秒６０回、１９２０画素相当の水平走査を行うことにより、当該プログレッシブ映像をスクリーン２０に投射する。
【００３５】
さて、このような光学系からなるプロジェクター装置において、スペックルノイズの原因となるスペックルパターンは、スクリーン２０に投射される可干渉性のレーザ光が、当該スクリーン２０上の各点で散乱され、互いに不規則な位相関係で干渉することによって生じる。したがって、かかるスペックルパターンの発生を低減するためには、スクリーン２０上で生じる干渉を抑制すればよい。
【００３６】
そこで、プロジェクター装置においては、上述したように、レーザ光源Ｌ１から出射されたレーザ光が通過する光路上のうち、走査ミラー１５の前段であれば任意の場所に１／２波長位相差板１６を設け、これを回転させることにより、当該１／２波長位相差板１６を透過するレーザ光Ｌ３の偏光方向を経時的に変化させる。具体的には、直線偏光のレーザ光Ｌ１が１／２波長位相差板１６に入射された場合には、当該１／２波長位相差板１６を透過したレーザ光Ｌ３は、直線偏光を保ったまま当該１／２波長位相差板１６の回転に応じて偏光方向が変化したものとなる。また、円偏光のレーザ光Ｌ１が１／２波長位相差板１６に入射された場合には、当該１／２波長位相差板１６を透過したレーザ光Ｌ３は、当該１／２波長位相差板１６が回転することにより、逆向きの円偏光となる。
【００３７】
これにより、プロジェクター装置においては、スクリーン２０上の各点で干渉することによって生じるノイズピークを時間的にずらし、平滑化することができる。したがって、プロジェクター装置においては、スクリーン２０に投射された映像の鑑賞者が眼の積分効果によってスペックルノイズを視認しにくくなり、品位の高い映像を表示することができる。
【００３８】
以上説明したように、本発明の実施の形態として示すプロジェクター装置においては、１／２波長位相差板１６を回転させ、レーザ光の偏光方向を経時的に変化させることにより、極めて簡便な構成でありながら、スペックルノイズを確実に低減することができ、低コストのもとに品位の高い映像を表示することができる。
【００３９】
なお、本発明は、上述した実施の形態に限定されるものではない。例えば、上述した実施の形態では、光源としてレーザ光源１１を用いるものとして説明したが、本発明は、ＬＥＤ（Light Emitting Diode）等、可干渉光を出射するものであれば、いかなるものであっても適用することができる。
【００４０】
また、上述した実施の形態では、１／２波長位相差板を回転させるものとして説明したが、本発明は、例えば波長板を振動させるといったように、光の偏光を変化させる駆動を行うものであれば、いかなる形態の駆動であっても適用することができる。
【００４１】
さらに、上述した実施の形態では、１／２波長位相差板を用いるものとして説明したが、本発明は、直線偏光と楕円偏光又は円偏光とを切り替える１／４波長位相差板１／４波長位相差板を用いてもよく、光の偏光を変化させる波長板であれば、いかなるものであっても適用することができる。
【００４２】
さらにまた、上述した実施の形態では、赤色光、緑色光及び青色光の狭帯域三原色光を用いるものとして説明したが、赤色光、緑色光及び青色光のみならず、シアン、マゼンタ、イエローといった多色化した互いに異なる色光を用いる場合であっても適用することができる。
【００４３】
また、上述した実施の形態では、ＧＬＶを用いたプロジェクター装置について説明したが、本発明は、例えばレーザプリンタやレーザポインタといったように、可干渉光を光源として用いる光出射装置を備える装置であれば、いかなるものであっても適用することができる。
【００４４】
このように、本発明は、その趣旨を逸脱しない範囲で適宜変更が可能であることはいうまでもない。
【図面の簡単な説明】
【００４５】
【図１】本発明の実施の形態として示すプロジェクター装置の構成を説明する図である。
【図２】同プロジェクター装置におけるモータの中空部分に取り付けられた１／２波長位相差板の構成を説明する正面図である。
【図３（ａ）】同プロジェクター装置におけるＧＬＶの概略構成を説明する図である。
【図３（ｂ）】同プロジェクター装置におけるＧＬＶの概略構成を説明する図であって、リボンに電圧を印加した様子を説明する図である。
【図４】同プロジェクター装置における投射レンズの概略構成を説明する図である。
【符号の説明】
【００４６】
１１  レーザ光源、１２  照明レンズ、１３  ＧＬＶ、１４  投射レンズ、１４ａ  光学フィルタ、１４ｂ  集光レンズ、１５  走査ミラー、１６  １／２波長位相差板、１７  モータ、１８  駆動部、２０  スクリーン、３１  リボン、３２  下部電極
【図１】
2006091471.tif 000003
【図２】
2006091471.tif 000004
【図３（ａ）】
2006091471.tif 000005
【図３（ｂ）】
2006091471.tif 000006
【図４】
2006091471.tif 000007